【手続補正書】
【提出日】平成31年2月28日(2019.2.28)
【手続補正１】
【補正対象書類名】特許請求の範囲
【補正対象項目名】全文
【補正方法】変更
【補正の内容】
【特許請求の範囲】
【請求項１】
各々、所定量のエネルギを搬出可能な複数のエネルギ資源と、
各々、所定量のエネルギを受領可能な複数のエネルギ消費装置とを有し、
各エネルギ資源は、当該エネルギ資源から供給可能な所定量のエネルギに関する１つまたは複数の申し出メッセージを発行するように構成されたエネルギ資源プロセッサに関連付けられ、
各エネルギ消費装置は、上記複数のエネルギ資源の１つからの所定量のエネルギを受領するためのトランザクションに関する１つまたは複数の申し出メッセージを受領するように構成されたエネルギ消費プロセッサに関連付けられ、
上記エネルギ資源プロセッサおよび／または上記エネルギ消費プロセッサは、公開利用可能な分散元帳内に含ませるために、上記トランザクションの暗号防護トランザクションレコードを発行するように構成されることを特徴とするエネルギ資源ネットワーク。
【請求項２】
さらに、複数の第三者ノードを有し、これら第三者ノードの各々が上記公開利用可能な分散元帳を局所的に記憶して維持する請求項１記載のエネルギ資源ネットワーク。
【請求項３】
上記複数の第三者ノードの各々が、上記複数の第三者ノードに最も広範囲に記憶されている上記公開利用可能な分散元帳の当該バージョンとして、上記公開利用可能な分散元帳の正しいバージョンを特定し、局所的に記憶するように構成される請求項２記載のエネルギ資源ネットワーク。
【請求項４】
１つの第三者ノードをさらに有し、
上記第三者ノードは、
１つまたは複数の暗号防護トランザクションレコードに関する検証ルーチンを実行し、
上記検証ルーチンが成功したならば、単に、上記１つまたは複数の暗号防護トランザクションレコードを上記公開利用可能な分散元帳に付加するように構成される請求項１記載のエネルギ資源ネットワーク。
【請求項５】
上記第三者ノードが、上記公開利用可能な分散元帳を処理して上記トランザクションに関連付けられた１つのエネルギ資源が上記トランザクションを実行するのに十分なエネルギを有するかどうかを決定することによって、上記検証ルーチンを実行するように構成される請求項４記載のエネルギ資源ネットワーク。
【請求項６】
上記第三者ノードが、上記公開利用可能な分散元帳を処理して上記トランザクションに関連付けられた１つのエネルギ資源が上記トランザクションを実行するのに利用可能な十分なエネルギ発生容量を有するかどうかを決定することによって、上記検証ルーチンを実行するように構成される請求項４記載のエネルギ資源ネットワーク。
【請求項７】
上記公開利用可能な分散元帳は、各エネルギ資源に対して、利用可能なエネルギ発生容量または利用可能なエネルギの残余を有し、上記第三者ノードは、上記トランザクションレコードの少なくとも一部を、利用可能なエネルギ発生容量、または、上記トランザクションに関連して上記エネルギ資源に関して利用可能なエネルギと比較することにより、上記トランザクションに関連する１つのエネルギ資源が、上記トランザクションを実行するのに十分な利用可能なエネルギ発生容量またはエネルギを有するかどうかを決定するように構成される請求項６記載のエネルギ資源ネットワーク。
【請求項８】
上記公開利用可能な分散元帳は、複数のデータのブロックを有し、データのブロックの各々は：
１または複数のトランザクションレコード；および
上記元帳内の先行するブロックの少なくとも一部の暗号的ハッシュ値
を表す情報を有する請求項１記載のエネルギ資源ネットワーク。
【請求項９】
上記公開利用可能な分散元帳はブロックチェーンを有する請求項８記載のエネルギ資源ネットワーク。
【請求項１０】
さらに第三者ノードを有し、当該第三者ノードが：
１または複数の暗号防護トランザクションを処理し；そして
上記公開利用可能な分散元帳における先行するブロックの少なくとも一部にハッシュアルゴリズムを適用して、上記暗号ハッシュ値を決定することによって、上記公開利用可能な分散元帳について新しいデータブロックを決定するように構成される請求項８記載のエネルギ資源ネットワーク。
【請求項１１】
上記第三者ノードは、上記ハッシュアルゴリズムを：
上記元帳における直前のブロックの少なくとも一部；
上記１または複数のトランザクション；および
暗号ナンス値に適用して上記暗号ハッシュ値を決定するように構成される請求項７記載のエネルギ資源ネットワーク。
【請求項１２】
上記第三者ノードは：
複数の異なる暗号ナンス値に対して暗号ハッシュ値を生成し；
決定された暗号ハッシュ値が１または複数の予め定められた特徴を満たすならば、有効と識別し；そして
上記公開利用可能な分散元帳に含ませるために、上記有効な暗号ハッシュ値を有する新たなデータブロックをブロードキャストするように構成される請求項１１記載のエネルギ資源ネットワーク。
【請求項１３】
上記元帳における直前のブロックの当該一部は、上記元帳における上記直前のブロックの暗号ハッシュ値である請求項１０記載のエネルギ資源ネットワーク。
【請求項１４】
上記エネルギ資源による当該ネットワークを介した申し出メッセージの発行；
上記エネルギ消費装置による申し出メッセージの受諾；
上記エネルギ消費装置による申し出メッセージの受諾に際しての受諾メッセージの発行；
暗号防護された公開利用可能な分散元帳に受諾メッセージを含ませるための第三者による受諾メッセージの処理；および
上記エネルギ資源および上記エネルギ消費装置の間でのエネルギの物理的な交換
のうちの１つまたは複数を、受諾メッセージの暗号防護された公開利用可能な分散元帳、および、トランザクションの暗号防護された公開利用可能な分散元帳に基づいて制御する請求項１記載のエネルギ資源ネットワーク。
【請求項１５】
上記エネルギ資源プロセッサは、エネルギの利用可能量または供給エネルギの利用可能容量が、高エネルギ閾値レベルを越えるならば、自動的に申し出メッセージを発行する請求項１記載のエネルギ資源ネットワーク。
【請求項１６】
上記エネルギ消費プロセッサは、申し出メッセージの情報の１または複数の部分を１または複数の予め定められた受諾基準に比較することにより、自動的に上記申し出メッセージの受諾または拒絶を行う請求項１記載のエネルギ資源ネットワーク。
【請求項１７】
各エネルギ消費装置または各エネルギ資源のプロセッサは秘密鍵を用いて上記暗号防護されたトランザクションレコードを発生するように構成される請求項１記載のエネルギ資源ネットワーク。
【請求項１８】
上記トランザクションレコードは、上記所定量のエネルギの受諾、および／または上記エネルギ消費装置に関連する勘定の貸方を表す情報を有する請求項１記載のエネルギ資源ネットワーク。
【請求項１９】
各申し出メッセージは、所定量のエネルギ；上記エネルギ資源の発生容量；時間窓；価格のうちの１つまたは複数を表す情報を有する請求項１記載のエネルギ資源ネットワーク。
【請求項２０】
各エネルギ資源の上記エネルギ資源プロセッサは、公開利用可能な分散元帳に含ませるための暗号防護された申し出レコードを発行するように構成される請求項１記載のエネルギ資源ネットワーク。
【請求項２１】
さらに計量装置を有し、当該計量装置は、エネルギ資源およびエネルギ消費装置の両取引相手の間で移動させられたエネルギの計量単位の暗号防護されたトランザクションレコードを発行するように構成される請求項１記載のエネルギ資源ネットワーク。
【請求項２２】
１または複数のエネルギ資源からの所定量のエネルギを消費するように構成されるエネルギ消費装置において、
エネルギ消費プロセッサを有し、当該エネルギ消費プロセッサは：
（ｉ）１または複数のエネルギ資源からの供給に利用できる所定量のエネルギに関する申し出メッセージを受領し；そして、
（ｉｉ）１または複数のエネルギ資源からの所定量のエネルギを受け取るためのトランザクションに関する申し出メッセージの受諾に応じて、公開利用可能な分散元帳に含ませるために当該トランザクションの暗号防護トランザクションレコードを発行するように構成されることを特徴とするエネルギ消費装置。
【請求項２３】
１または複数のエネルギ消費装置に所定量のエネルギを搬送するように構成されるエネルギ資源において、
エネルギ資源プロセッサを有し、当該エネルギ資源プロセッサは：
（ｉ）上記エネルギ資源から供給可能な所定量のエネルギに関する申し出メッセージを発行し；
（ｉｉ）所定量のエネルギをエネルギ消費装置に搬送するためのトランザクションに関する申し出メッセージの受諾に応じて、公開利用可能な分散元帳に含ませるために、当該トランザクションの暗号防護されたトランザクションレコードを発行するように構成されることを特徴とするエネルギ資源。
【請求項２４】
エネルギ資源ネットワークのための公開利用可能な分散元帳を更新するための装置において、
上記ネットワークは、
各々所定量のエネルギを搬出可能な、複数のエネルギ資源と、
各々所定量のエネルギを受け取ることが可能な、複数のエネルギ消費装置とを有し、
各エネルギ資源は、当該エネルギ資源からの供給に利用できる所定量のエネルギに関する１または複数の申し出メッセージを発行するように構成されるエネルギ資源プロセッサに関連付けられ、
各エネルギ消費装置は、上記エネルギ資源の１つから所定量のエネルギを受け取るためのトランザクションに関する１つまたは複数の申し出メッセージを受け取るように構成されるエネルギ消費装置に関連付けられ、
当該分散元帳更新装置は、上記エネルギ資源プロセッサおよび／または上記エネルギ消費プロセッサから、上記トランザクションの暗号防護されたトラン族ションレコードを受け取り、公開利用可能な分散元帳に当該レコードを含ませるように構成されることを特徴とする分散元帳更新装置。
【請求項２５】
エネルギ資源ネットワークを操作する方法において、当該エネルギ資源ネットワークは、
複数のエネルギ資源、および、複数のエネルギ消費装置を有し、
上記エネルギ資源ネットワーク操作方法は、
エネルギ資源が、当該エネルギ資源から供給可能な所定量のエネルギに関する１または複数の申し出メッセージを発行すること、
エネルギ消費装置が、上記エネルギ資源の１つから所定量のエネルギを受け取るためのトランザクションに関する１または複数の申し出メッセージを受け取ること、および
公開利用可能な分散元帳に含ませるために上記トランザクションの暗号防護されたトランザクションレコードを発行することを有することを特徴とするエネルギ資源ネットワーク操作方法。